(57)【要約】【課題】  太陽熱が使用者の背中に伝わらず、しかも使用者の身体のサイズ等に応じて日除け膜体の長さを調節することができるようにする。【解決手段】左右一対の略逆Ｌ字形支柱と、両支柱間に渡し止められた連結部材と、両支柱間に張設された日除け膜体と、日除け膜体の前面側に設けられた担持部とで日除けを構成し、担持部は日除け膜体から所要間隔をあけてその前方に配置されたベース部とベース部上に設けられた肩掛け部および／またはベルト部を有するものであり、支柱の少なくとも両端部が伸長自在であって、日除け膜体の両縁端部には前記支柱の伸長に伴って日除け膜体の張り具合を調節する調節手段が設けられており、支柱の水平部分には垂れ膜体が設けられ、また支柱に飲料容器の収納具が取り付けられている。【選択図】  図１
2008307124.tif 000002
【特許請求の範囲】
【請求項１】
左右一対の略逆Ｌ字形支柱と、両支柱間に渡し止めされた連結部材と、両支柱間に張設された日除け膜体と、日除け膜体の前面側に設けられた担持部とを備えており、担持部は日除け膜体から所要間隔をあけてその前方に配置されたベース部とベース部上に設けられた肩掛け部および／またはベルト部を有する、日除け。
【請求項２】
支柱の少なくとも両端部が伸長自在であって、日除け膜体の両縁端部には前記支柱の伸長に伴って日除け膜体の張り具合を調節する調節手段が設けられていることを特徴とする、請求項１記載の日除け。
【請求項３】
支柱の水平部分に垂れ膜体が設けられた、請求項１または請求項２記載の日除け。
【請求項４】
支柱に飲料容器の収納具が取り付けられた、請求項１〜請求項３のうちのいずれか一項記載の日除け。
【請求項５】
日除け膜体が、防水機能、ＵＶカット機能および断熱機能のうちの少なくとも一以上の機能を有する素材で構成されていることを特徴とする、請求項１〜請求項４のうちのいずれか一項記載の日除け。
【請求項６】
支柱が、略逆Ｌ字形の継ぎ手パイプと、継ぎ手パイプの両端に嵌め入れられた棒状部材とで構成されている、請求項１〜請求項５のうちのいずれか一項記載の日除け。
【発明の詳細な説明】
【技術分野】
【０００１】
本発明は、直射日光が人体に直接あたることを防ぐための日除けに関する。  
【背景技術】
【０００２】
従来、日傘のように手で持つことを余儀なくされるという不都合を解消するため、帯状のシート体の両側縁に略逆Ｌ字状の骨材を取り付けると共に両骨材間に複数本の支持部材を架け渡し、支持部材上には当該日除けを使用者の肩や腰に固定するためのベルトおよびバックルを取り付けた日除けが知られている。
【特許文献１】特開平１０−２３４４４２
【発明の開示】
【発明が解決しようとする課題】
【０００３】
例えば、建築関係の作業者のように、夏の炎天下で作業を行う人の場合、前述した日除けによれば、一般的な日傘のようにその軸部を片方の手で持つ必要がないため、両手で作業を行うことができるという利点がある。
【０００４】
しかしながら、前記従来の日除けの場合、使用者の背中にシート体が接触する構造となっているため、シート体に蓄積した太陽熱が使用者の背中に伝わって使用者の身体の温度上昇を招くという問題があった。
【０００５】
また、シート体は一定形状であったため、使用者の身体の大小に対応できず、例えば比較的身体が大きい使用者の場合、シート体が小さ過ぎて使用者の身体に直射日光があたり易いという不都合もあった。
【０００６】
本発明の目的は、太陽熱が背中に伝わらず、しかも使用者の身体のサイズ等に応じてシート体の長さを調節することができる日除けを提供することにある。
【課題を解決するための手段】
【０００７】
請求項１記載の本発明に係る日除けは、左右一対の略逆Ｌ字形支柱と、両支柱間に渡し止められた連結部材と、両支柱間に張設された日除け膜体と、日除け膜体の前面側に設けられた担持部とを備えており、担持部は日除け膜体から所要間隔をあけてその前方に配置されたベース部とベース部上に設けられた肩掛け部および／またはベルト部を有するものである。  
【０００８】
請求項２記載の本発明は、前記請求項１記載の日除けについて、支柱の少なくとも両端部が伸長自在であって、日除け膜体の両縁端部には前記支柱の伸長に伴って日除け膜体の張り具合を調節する調節手段が設けられていることを特徴とするものである。
【０００９】
請求項３記載の本発明は、前記請求項１または請求項２記載の日除けについて、支柱の水平部分に垂れ膜体が設けられたことを特徴とするものである。
【００１０】
請求項４記載の本発明は、前記請求項１〜請求項３のうちのいずれか一項記載の日除けについて、支柱に飲料容器の収納具が取り付けられたことを特徴とするものである。
請求項５記載の本発明は、前記請求項１〜請求項４のうちのいずれか一項記載の日除けについて、日除け膜体が、防水機能、ＵＶカット機能および断熱機能のうちの少なくとも一以上の機能を有する素材で構成されていることを特徴とするものである。
請求項６記載の本発明は、前記請求項１〜請求項５のうちのいずれか一項記載の日除けについて、支柱が、略逆Ｌ字形の継ぎ手パイプと、継ぎ手パイプの両端に嵌め入れられた棒状部材とで構成されていることを特徴とするものである。
【発明の効果】
【００１１】
請求項１記載の日除けは、日除け膜体の前面側に設けられた担持部が日除け膜体から所要間隔をあけてその前方にベース部を配置し、該ベース部に肩掛け部およびベルト部を設けた構造であるため、肩掛け部に使用者の腕を通したり、ベルト部を使用者の腰に巻いて使用者が当該日除けを担ぐように装着した状態において、使用者の背中と当該日除けにおけるベース部との間には一定の隙間が形成されるため、当該日除けの熱が使用者の背中に直接伝わることがなく、また前記隙間には通風が期待できるため、日除け効果と共に放熱効果も得られるという従来の日除けにはない利点がある。
【００１２】
請求項２記載の日除けは、前記請求項１記載の日除けについて、支柱の少なくとも両端部が伸長自在であって、日除け膜体の両縁端部には前記支柱の伸長に伴って日除け膜体の張り具合を調節する調節手段が設けられているため、使用者の身体のサイズや好みに合わせて日除け膜体の張り具合を調節することができるという利点がある。
【００１３】
請求項３記載の本発明は、
支柱の水平部分に垂れ膜体が設けられているため、使用者の顔の部分への直射日光を有効に遮ることが可能となる。また、垂れ膜体の不要時には該垂れ膜体を日除け膜体の水平部分へ捲くり上げておくだけで良い。
【００１４】
請求項４記載の本発明は、支柱に飲料容器の収納具が取り付けられているため、該収納具に飲料が入ったペットボトルや水筒を入れておくことで容易に水分を補給することができる。
【００１５】
請求項５記載の本発明は、日除け膜体が、防水機能、ＵＶカット機能および断熱機能のうちの少なくとも一以上の機能を有する素材で構成されているため、雨天の日や紫外線が強い日、或いは気温が高い日でもそれら天候の影響を軽減できるという利点がある。
【００１６】
請求項６記載の本発明は、支柱が逆Ｌ字形の継ぎ手と、該継ぎ手の両端に接続された棒状部材で構成されているため、分解が可能であって、持ち運びが容易となる。
【発明を実施するための最良の形態】
【００１７】
次に、本発明の実施形態を図面にしたがって説明するが、本発明はかかる実施形態に限定されるものではなく、その要旨の範囲内で種々の変形実施が可能である。
【００１８】
図１〜図３に示すように、日除け１０は、互いに一定間隔をあけて立設された左右一対の略逆Ｌ字形のパイプ製支柱１Ａ・１Ｂと、両支柱１Ａ・１Ｂ間に張設された一定幅の日除け膜体２と、日除け膜体２の前面側に設けられた担持部３とを有する。
【００１９】
日除け膜体２は帯状であって、キャンバス地からなり、その両縁両端部には有底筒状部４が縫着され、また同側縁における有底筒状部４間には複数のリング状部５が縫着されている。そして、支柱１Ａ・１Ｂが各リング状部５に通され、支柱１Ａ・１Ｂの両端部が有底筒状部４に嵌め入れられることで支柱１Ａ・１Ｂ間に日除け膜体２が取り付けられている。図４に示すように、リング状部５は、日除け膜体２の縁部を挟み込むように縫着されている。また、日除け膜体２は防水機能、ＵＶカット機能および断熱機能のうちの少なくとも一以上の機能を有する素材で構成するものである。
【００２０】
また、図１および図５に示すように、支柱１Ａ・１Ｂ間における上端寄り部分、下端寄り部分および中間部分には、両端に支柱１Ａ・１Ｂに嵌め被せられる把持部６を有する板状連結部材７が渡し止められている。
【００２１】
担持部３は、板状のベース部８と、基端がベース部８の後面隅部につながり、先端には支柱１Ａ・１Ｂを把持する把持部７が一体に形成された合計４本の支軸９と、使用者の肩に掛けるための帯状肩掛け部１１と、使用者の腰に巻くためのベルト部１２とを有する。なお、図中２０は、把持部６・７が上下方向にズレルのを防止するために、支柱１Ａ・１Ｂの外面に設けられた環状突部、３０は担持部３を持つための取っ手を示す。また、各支軸９については、二本構成としてその重合部分に互いに連通する長孔を設け、該長孔にボルトとナットを装着することにより、当該支軸９を伸長自在な構造とすることもある。
【００２２】
支柱１Ａ・１Ｂは、その両端部１ａ・１ｂが後述する構造によって伸縮自在となされており、図１に示した当該日除け１０は、支柱１Ａ・１Ｂが完全に伸びた状態であり、これに伴って日除け膜体２も完全に張った状態となされている。また、支柱１Ａ・１Ｂは、本実施形態では、略Ｌ字形の一本の部材で構成しているが、支柱１Ａ・１Ｂの屈曲部を逆Ｌ字形の継ぎ手パイプとし、該継ぎ手パイプの一端に水平状の棒状部材を嵌め入れ、継ぎ手パイプの他端に垂直状の棒状部材を嵌め入れることで支柱１Ａ・１Ｂが構成されるようにしても良い。
【００２３】
すなわち、当該日除け１０は、使用者の身体の大小や好みに応じてそのサイズが調節可能となされている。具体的に支柱１Ａ・１Ｂ両端の伸縮構造について説明すると、図７に示すように、支柱１Ａ・１Ｂにおける端部において、大径パイプ１ｂ内に小径パイプ１ａが挿入される構造となっており、小径パイプ１ａの先端部には表面に螺旋状突部１３を有する略円錐状部１４が一体に形成され、また略円錐状部１４の外周にはゴム等の弾性材料よりなる略筒状部材１５が装着されており、小径パイプ１ａを螺旋状突部１３の螺旋方向と同方向に回転させることで略筒状部材１５が大径パイプ１ｂの内周面に押圧される結果、小径パイプ１ａが大径パイプ１ｂに対して固定された状態となる。一方、小径パイプ１ａを前記と逆方向に回転させれば、大径パイプ１ｂの内周面への略筒状部材１５の押圧が解除されて小径パイプ１ａが移動され得る状態となるのである。したがって、小径パイプ１ａが移動可能な状態において、大径パイプ１ｂ先端からの小径パイプ１ａの突出長さを調節した上、小径パイプ１ａをその螺旋状突部１３の螺旋方向に回すことで小径パイプ１ａを固定状態とすることができる。
【００２４】
なお、図中１６は略筒状部材１５が略円錐状部１４から外れることを防止するために略円錐状部１４の先端に一体に設けられた円板状部を示す。
【００２５】
図８は、前述した小径パイプ１ａと大径パイプ１ｂとの連結構造の他の例を示しており、小径パイプ１ａの先端部にはその偏芯位置に軸１７が一体に形成され、そして更に、軸１７の先端部には円板状部１８が一体に設けられることにより溝１９が形成され、溝１９内にゴム等の弾性材料よりなるリング状部材２１が嵌め入れられている。そして、小径パイプ１ａを正回転させることでリング状部材２１が大径パイプ１ｂの内面に押圧されて、小径パイプ１ａが大径パイプ１ｂに対して固定された状態となる。一方、小径パイプ１ａを前記と逆方向に回転させれば、大径パイプ１ｂの内周面へのリング状部材２１の押圧が解除されて小径パイプ１ａが移動され得る状態となるのである。
【００２６】
そして、前述したような構造により支柱１Ａ・１Ｂの両端部が伸縮するが、支柱１Ａ・１Ｂが縮んだ場合、日除け膜体２は弛んだ状態となる。しかしながら、図６に示すように、日除け膜体２の両縁端部には袋状部２ａが縫製され、該袋状部２ａに紐２２が通されてその端部に締め付け具２３が取り付けられ、これを用いて紐２２を締めることで日除け膜体２の緩みがなくなるようになされている。
【００２７】
この他、一側の支柱１Ａの下端における小径パイプ１ａにはブラケット２４を介して飲料容器の収納具２５が取り付けられている。また、該収納具２５は、断熱材料で構成しても良い。
【００２８】
次に、本実施形態に係る日除け１０の使用方法について説明すると、先ず担持部３における左右の肩掛け部１１に使用者の腕を通すと共に、腰にベルト部１２を巻いてバックル１２ａを止めることで使用者が当該日除け１０を担いだような状態となって、当該日除け１０の装着が完了する。その後、支柱１Ａ・１Ｂの両端部における小径パイプ１ａの長さを調節して日除け膜体２の伸縮状態を調節すれば良い。
【００２９】
なお、本実施形態では、支柱１Ａ・１Ｂの両端部を伸縮自在な構造としたが、支柱１Ａ・１Ｂの長さ中央部分においても同様に伸縮自在な構造としても良い。
【００３０】
図９は、本発明に係る他の実施形態であって、左右の支柱１Ａ・１Ｂの水平部分に繻子等からなる垂れ膜体２６が設けられたものである。この垂れ膜体２６によれば、使用者の顔部分への直射日光が更に有効に遮られる。
【産業上の利用可能性】
【００３１】
本発明の日除けによれば、その熱が使用者の身体に伝わることなく、しかも直射日光を有効に遮ることができるため、ガードマンや建築関係の屋外労働者は勿論、釣り等のレジャーを楽しむ人等にも幅広く利用され得る。
【図面の簡単な説明】
【００３２】
【図１】実施形態に係る日除けの斜視図である。
【図２】同実施形態に係る日除けの側面図である。
【図３】同日除けにおける担持部を拡大して示す正面図である。
【図４】図３におけるＡ−Ａ線端面図である。
【図５】図３におけるＢ−Ｂ線端面図である。
【図６】日除け膜体の端部における調節構造を示す部分拡大正面図である。
【図７】支柱端部における伸縮構造を示す拡大断面図である。
【図８】支柱端部における他の伸縮構造を示す拡大断面図である。
【図９】他の実施形態に係る日除けを示す斜視図である。
【符号の説明】
【００３３】
１Ａ・１Ｂ  支柱
２  日除け膜体
３  担持体
８  ベース部
１０  日除け
１１  肩掛け部
１２  ベルト部
２５  飲料容器の収納具
２６  垂れ膜体
【図１】
2008307124.tif 000003
【図２】
2008307124.tif 000004
【図３】
2008307124.tif 000005
【図４】
2008307124.tif 000006
【図５】
2008307124.tif 000007
【図６】
2008307124.tif 000008
【図７】
2008307124.tif 000009
【図８】
2008307124.tif 000010
【図９】
2008307124.tif 000011